Podtech/llm-jp-corpus-v4-ja_patent huggingface dataset:
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成装置であって、
環境情報を検知する環境情報検知手段と、
測定された環境情報を外部から取得する環境情報取得手段と、
画像形成装置の電源をオンした以降に前記環境情報検知手段によって検知される検知環境情報と、前記環境情報取得手段によって取得される、前記電源をオンするより前に測定された取得環境情報と、に基づいて、記録媒体への画像形成を制御する制御手段と、を有する
ことを特徴とする画像形成装置。
【請求項２】
前記制御手段は、画像形成装置の前記電源をオンした以降に、前記環境情報検知手段が検知する前記検知環境情報と前記環境情報取得手段が取得する前記取得環境情報とが異なるときに、前記電源をオンした以降に検知される前記検知環境情報と、前記電源をオンするより前に測定された前記取得環境情報と、に基づいて制御することを特徴とする請求項１に記載の画像形成装置。
【請求項３】
前記制御手段は、前記電源をオンした以降に検知される前記検知環境情報と、前記電源をオンするより前に測定された前記取得環境情報と、に基づいて選択した画像形成モードを実施した後は、前記環境情報検知手段が検知する前記検知環境情報に基づいて選択した画像形成モードに移行することを特徴とする請求項１または請求項２に記載の画像形成装置。
【請求項４】
前記環境情報取得手段によって取得された温度と前記環境情報検知手段によって検知された温度とのうち、少なくとも一方が氷点下を示す場合に熱を加えて氷結を消失させる氷結消失手段を有することを特徴とする請求項１乃至３のいずれか１項に記載の画像形成装置。
【請求項５】
請求項１乃至４のいずれか１項に記載の画像形成装置と、
測定された環境情報のデータを前記環境情報取得手段が取得可能に格納する格納手段と、
を有することを特徴とする画像形成システム。
【手続補正２】
【補正対象書類名】明細書
【補正対象項目名】００１３
【補正方法】変更
【補正の内容】
【００１３】
このように、画像形成装置の内部に配置される環境検知センサの検知情報だけでは、画像形成装置が置かれた環境に応じた適切な制御ができないおそれがある。
【手続補正３】
【補正対象書類名】明細書
【補正対象項目名】００１４
【補正方法】変更
【補正の内容】
【００１４】
この目的を達成するために、本発明の画像形成装置は、記録媒体に画像を形成する画像形成装置であって、環境情報を検知する環境情報検知手段と、測定された環境情報を外部から取得する環境情報取得手段と、画像形成装置の電源をオンした以降に前記環境情報検知手段によって検知される検知環境情報と、前記環境情報取得手段によって取得される、前記電源をオンするより前に測定された取得環境情報と、に基づいて、記録媒体への画像形成を制御する制御手段と、を有することを特徴とする。
【手続補正４】
【補正対象書類名】明細書
【補正対象項目名】００１５
【補正方法】変更
【補正の内容】
【００１５】
本発明によれば、画像形成装置が置かれた環境に応じた適切な制御ができる。
【手続補正５】
【補正対象書類名】明細書
【補正対象項目名】００１６
【補正方法】削除
【補正の内容】
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
レンズを保持するレンズ鏡室と、
前記レンズ鏡室を保持するベース部材と、
前記レンズ鏡室と前記ベース部材に挟持される接着台ピンを有する撮影レンズにおいて、
前記ベース部材は前記接着台ピンを保持する保持部を有し、
前記レンズ鏡室は前記ベース部材の前記保持部に保持された前記接着台ピンの一部が固着するための接着部を有することを特徴とする、撮影レンズ。
【請求項２】
前記接着台ピンは、前記レンズ鏡室の前記接着部に挿通する第１凸部と、
前記ベース部材の前記保持部に保持される第２凸部とを有することを特徴とする
請求項１に記載の撮影レンズ。
【請求項３】
前記ベース部材の前記保持部は、前記接着台ピンの前記第２凸部が圧入され、前記接着台ピンを保持可能であることを特徴とする請求項２に記載の撮影レンズ。
【請求項４】
前記レンズ鏡室の前記接着部は孔状であり、前記接着台ピンの前記第１凸部が前記接着部に挿通した状態で、光軸と直交する方向に前記レンズ鏡室が移動可能なよう、前記第１凸部よりも大きいことを特徴とする
請求項２又は請求項３のいずれか一項に記載の撮影レンズ。
【請求項５】
前記レンズ鏡室は、解体時に治具を掛けて前記レンズ鏡室を光軸方向に引き上げるための解体用穿孔部を有することを特徴とする
請求項１乃至請求項４のいずれか一項に記載の撮影レンズ。
【請求項６】
前記解体用穿孔部は前記レンズ鏡室の前記接着部近傍に設けられていることを特徴とする
請求項５に記載の撮影レンズ。
【請求項７】
前記レンズ鏡室の前記接着部は、すり鉢形状を有することを特徴とする
請求項１乃至請求項６のいずれか一項に記載の撮影レンズ。
【請求項８】
前記レンズ鏡室の前記接着部は、前記ベース部材の前記保持部に保持された前記接着台ピンの一部を挿通させた状態で、接着剤を流し込み硬化させることにより、前記接着台ピンと固着されることを特徴とする
請求項１乃至請求項７のいずれか一項に記載の撮影レンズ
【請求項９】
前記接着台ピンの材質は金属であることを特徴とする
請求項１乃至請求項８のいずれか一項に記載の撮影レンズ
【請求項１０】
請求項１乃至請求項９のいずれか一項に記載の撮影レンズを有する撮像装置。
【手続補正２】
【補正対象書類名】明細書
【補正対象項目名】００１６
【補正方法】変更
【補正の内容】
【００１６】
また請求項３に記載の発明は、前記ベース部材の前記保持部は、前記接着台ピンの前記第２凸部が圧入され、前記接着台ピンを保持可能であることを特徴とする請求項２に記載の撮影レンズとした。
【手続補正３】
【補正対象書類名】明細書
【補正対象項目名】００１７
【補正方法】変更
【補正の内容】
【００１７】
また、請求項４に記載の発明は、前記レンズ鏡室の前記接着部は孔状であり、前記接着台ピンの前記第１凸部が前記接着部に挿通した状態で、光軸と直交する方向に前記レンズ鏡室が移動可能なよう、前記第１凸部よりも大きいことを特徴とする請求項２又は請求項３のいずれか一項に記載の撮影レンズとした。
【手続補正４】
【補正対象書類名】明細書
【補正対象項目名】００１９
【補正方法】変更
【補正の内容】
【００１９】
また、請求項６に記載の発明は、前記解体用穿孔部は前記レンズ鏡室の前記接着部近傍に設けられていることを特徴とする請求項５に記載の撮影レンズとした。
【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
対向して配置される一対のたて枠と、前記一対のたて枠の上部を連結する上枠と、前記一対のたて枠の下部を連結する下枠と、前記一対のたて枠間であって、かつ、前記上枠と前記下枠との間に載置されるウェイトと、前記一対のたて枠間であって、かつ、前記上枠と前記下枠との間に設けられる開口部とを備え、エレベータ装置内のかごとは反対方向に昇降するように前記かごにロープを介して連結される釣合おもりにおいて、
前記ウェイトは、前記一対のたて枠の中央部近傍よりも上側に載置され、
前記開口部は、前記一対のたて枠の中央部近傍よりも下側に設けられ、前記釣合おもりをかご側から反かご側に向かって貫通する形状を有し、
前記開口部によりかご側から反かご側に向かって貫通された状態を維持しつつ、前記たて枠、前記上枠、前記下枠及び前記ウェイトを覆うカバーが装着される
ことを特徴とする釣合おもり。
【請求項２】
前記カバーは、前記開口部の一部を覆う
ことを特徴とする請求項１に記載の釣合おもり。
【請求項３】
対向して配置される一対のたて枠と、前記一対のたて枠の上部を連結する上枠と、前記一対のたて枠の下部を連結する下枠と、前記一対のたて枠間であって、かつ、前記上枠と前記下枠との間に載置されるウェイトと、前記一対のたて枠間であって、かつ、前記上枠と前記下枠との間に設けられる開口部とを備えた釣合おもりと、前記釣合おもりとロープを介して連結され、前記釣合おもりとは反対方向に昇降するかごとから構成されるエレベータ装置において、
前記ウェイトは、前記一対のたて枠の中央部近傍よりも上側に載置され、
前記開口部は、前記一対のたて枠の中央部近傍よりも下側に設けられ、前記釣合おもりをかご側から反かご側に向かって貫通する形状を有し、
前記開口部によりかご側から反かご側に向かって貫通された状態を維持しつつ、前記たて枠、前記上枠、前記下枠及び前記ウェイトを覆うカバーが装着される
ことを特徴とするエレベータ装置。
【請求項４】
前記カバーは、前記開口部の一部を覆う
ことを特徴とする請求項３に記載のエレベータ装置。
【手続補正書】
【提出日】平成29年8月4日(2017.8.4)
【手続補正１】
【補正対象書類名】特許請求の範囲
【補正対象項目名】全文
【補正方法】変更
【補正の内容】
【特許請求の範囲】
【請求項１】
芳香族ポリスルホンと、
沸点が１００℃以上４００℃以下である有機化合物と、を有し、
前記芳香族ポリスルホンの質量に対して前記有機化合物を０．１ｐｐｍ以上１２ｐｐｍ以下含み、
前記芳香族ポリスルホンが、式（１）で表される繰返し単位を有する芳香族ポリスルホン組成物。
−Ｐｈ１−ＳＯ２−Ｐｈ２−Ｏ−  （１）
［式（１）中、Ｐｈ１及びＰｈ２は、フェニレン基を表し、前記フェニレン基に結合する１個以上の水素原子が、互いに独立に、炭素数１〜１０のアルキル基、炭素数６〜２０のアリール基又はハロゲン原子で置換されていてもよい。］
【請求項２】
前記有機化合物は、ハンセン溶解度パラメータにおける分散項δＤ（単位：ＭＰａ０．５）が１６．０以上２２．０以下、極性項δＰ（単位：ＭＰａ０．５）が１２．０以上１６．４以下、水素結合項δＨ（単位：ＭＰａ０．５）が３．０以上１２．０以下である請求項１に記載の芳香族ポリスルホン組成物。
【請求項３】
前記有機化合物は、非プロトン性極性溶媒である請求項１又は２に記載の芳香族ポリスルホン組成物。
【請求項４】
前記有機化合物は、Ｎ−メチル−２−ピロリドンである請求項３に記載の芳香族ポリスルホン組成物。
【請求項５】
芳香族ポリスルホンと、
沸点が１００℃以上４００℃以下である有機化合物と、を有し、
前記芳香族ポリスルホンの質量に対して前記有機化合物を０．１ｐｐｍ以上９．６ｐｐｍ以下含み、
前記芳香族ポリスルホンが、式（１）で表される繰返し単位を有する成形品。
−Ｐｈ１−ＳＯ２−Ｐｈ２−Ｏ−  （１）
［式（１）中、Ｐｈ１及びＰｈ２は、フェニレン基を表し、前記フェニレン基に結合する１個以上の水素原子が、互いに独立に、炭素数１〜１０のアルキル基、炭素数６〜２０のアリール基又はハロゲン原子で置換されていてもよい。］
【手続補正書】
【提出日】平成29年9月27日(2017.9.27)
【手続補正１】
【補正対象書類名】特許請求の範囲
【補正対象項目名】全文
【補正方法】変更
【補正の内容】
【特許請求の範囲】
【請求項１】
（ａ）建物外皮の基材又は構成要素として含ませる物品を準備し；
（ｂ）かかる物品から建物外皮の少なくとも一部を形成し；
（ｃ）工程（ｂ）の前又は後のいずれかにおいて、気泡の少なくとも一部の中にトランス−１−クロロ−３，３，３−トリフルオロプロペン（１２３３ｚｄ（Ｅ））を含む気体材料を有する独立気泡ポリマー構造体を含むフォームを物品の上及び／又は中に施工する；
ことを含む方法によって形成される建物外皮を提供することを含む建物外皮の燃焼性を低減する方法であって、気泡内の気体材料が少なくとも５０体積％のトランス−１−クロロ−３，３，３−トリフルオロプロペンを含む、方法。
【請求項２】
施工工程が、１２３３ｚｄ（Ｅ）を含む発泡剤および有機イソシアネートを含むポリオールフォームプレミックス組成物を含む発泡性組成物を物品上に噴霧することを含む、請求項１に記載の方法。
【請求項３】
施工工程を形成工程（ｂ）の後に行う、請求項２に記載の方法。
【請求項４】
施工工程を形成工程（ｂ）の前に行う、請求項２に記載の方法。
【請求項５】
施工工程が、フォームパネル又はボードを形成し、かかるパネル又はボードの少なくとも一部を物品に取り付けることを含む、請求項１に記載の方法。
【請求項６】
施工工程を形成工程（ｂ）の後に行う、請求項５に記載の方法。
【請求項７】
施工工程を形成工程（ｂ）の前に行う、請求項５に記載の方法。
【請求項８】
物品が建物外皮の表面又は中空部の一部を構成する、請求項１に記載の方法。
【請求項９】
独立気泡フォームが、モービル４５°試験を用いて試験して１．０％未満の重量損失を示す、請求項１に記載の方法。
【請求項１０】
独立気泡フォームが、モービル４５°試験を用いて試験して０．５％未満の重量損失を示す、請求項９に記載の方法。
【請求項１１】
気泡内の気体材料が少なくとも７０体積％のトランス−１−クロロ−３，３，３−トリフルオロプロペンを含む、請求項１に記載の方法。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
ビニルアセテートモノマー（“ＶＡＭ”）とアルキルアクリレート（“ＡＡ”）とを共重合させることによって製造される、ビニルアルコール（“ＶＯＨ”）とアルキルアクリレート（“ＡＡ”）との冷水可溶性で実質的にランダムなコポリマーであって、３分未満の特徴的冷水フィルム溶解時間を示す上記コポリマー、ここで、前記冷水フィルム溶解時間は、７６μｍ×２．３ｃｍ×３．４ｃｍの寸法のフィルムをスライドフレームに据え付け、温度を２１℃±１℃に保持した撹拌下の４００ｍｌの水中にフィルムを浸漬させ、フィルムの残留ストリングとフィルム粒子がフレーム上に残らなくなるまでの合計時間である。
【請求項２】
コポリマーが２〜２５モル％のＡＡを含む、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項３】
コポリマーが３〜１０モル％のＡＡを含む、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項４】
コポリマーが２分未満の特徴的冷水フィルム溶解時間を示す、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項５】
コポリマーが１分以下の特徴的冷水フィルム溶解時間を示す、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項６】
コポリマーが単峰性ＧＰＥＣクロマトグラムを有する、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項７】
ＡＡが、メチルアクリレート（ＡＡ）、エチルアクリレート、メチルメタクリレート、エチルメタクリレート、およびこれらの混合物から選ばれる、請求項１に記載の、ビニルアセテートモノマー（“ＶＡＭ”）とＡＡとを共重合させることによって製造される、ビニルアルコール（“ＶＯＨ”）とアルキルアクリレート（“ＡＡ”）との冷水可溶性で実質的にランダムなコポリマー。
【請求項８】
請求項１に記載のコポリマーから製造されるフィルム。
【請求項９】
１０ミクロン〜４００ミクロンの厚さを有する、請求項８に記載のフィルム。
【請求項１０】
ビニルアセテートから誘導されるモノマー単位を少なくとも７５モル％有する請求項１に記載のコポリマー。
【手続補正２】
【補正対象書類名】明細書
【補正対象項目名】００１３
【補正方法】変更
【補正の内容】
【００１３】
特徴的冷水フィルム溶解時間と特徴的冷水フィルム崩壊時間は、７６ミクロンのフィルムと、写真スライド用に使用されるクラスのスライドフレームとを使用し、米国特許第７，７４５，５１７号（後述する）に記載の手順を利用して測定される。これらのパラメーターがコポリマーそれ自体の特性であることは言うまでもない。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
その中に非晶質リン酸アルミニウム腐食防止顔料が分散している耐食性コーティング組成物を製造する方法であって、
以下の工程を含むゾルゲルプロセスにより、非晶質リン酸アルミニウム腐食防止顔料を製造する工程：
水溶液中で硝酸アルミニウムをリン酸と合わせて、混合物を形成する工程;
該混合物と一緒に十分な量の水酸化アンモニウムを合わせる工程であって、これにより、該混合物のpHを上げて液体中のコロイド状非晶質リン酸アルミニウム粒子の分散液を含むゾルを形成する、前記工程;
さらなる量の水酸化アンモニウムを該ゾルと合わせて、該コロイド状粒子を凝集させ、ゲル構造を形成する工程（ここで、該ゲルは、該液体を閉じ込める、連結しているコロイド状非晶質リン酸アルミニウム粒子の三次元構造を含む。）;及び
該ゲルを処理する工程であって、これにより、該三次元構造を崩壊させて該液体を除去し、固体非晶質リン酸アルミニウム粒子を提供する、前記工程、及び
該固体非晶質リン酸アルミニウム粒子を結合ポリマーと合わせる工程であって、これにより該耐食性コーティング組成物を形成する、前記工程、
を含む、前記方法。
【請求項２】
前記ゾル及びゲルを形成するのに使用される水酸化アンモニウムの総量が、硝酸アンモニウムを形成するための化学量論量の1〜3倍である、請求項１記載の方法。
【請求項３】
前記コロイド状粒子が、1〜100ナノメートルの平均粒径を有する、請求項１記載の方法。
【請求項４】
前記コロイド状粒子が、実質的に球形であり、かつ実質的に均一な粒径分布を有する、請求項１記載の方法。
【請求項５】
前記凝集コロイド状粒子の50パーセントが1〜5ミクロンの大きさであり、該凝集コロイド状粒子の90パーセントが0.5〜10ミクロンの大きさである、請求項１記載の方法。
【請求項６】
前記処理する工程の前に、リン酸アンモニウムを形成する、請求項１記載の方法。
【請求項７】
前記コーティング組成物が、最大1,000 ppmのリン酸アンモニウムを含む、請求項９記載の方法。
【請求項８】
前記コーティング組成物が、金属表面上に適用される硬化フィルムの形態である場合に、該金属表面へ移動する水分の存在下でホスフェートアニオンを放出して、アノード不動態化により腐食を防止する、請求項１記載の方法。
【請求項９】
前記結合ポリマーと合わせる工程の前に、前記非晶質リン酸アルミニウムを洗浄する、請求項１記載の方法。
【請求項１０】
前記処理する工程が、前記ゲルを最大300℃の温度に加熱することを含む、請求項１記載の方法。
【請求項１１】
前記ゲルが、100〜200℃の温度に加熱される、請求項１０記載の方法。
【請求項１２】
前記結合ポリマーと合わせる工程の前に、前記ゲルがアルカリ金属を含まない、請求項１記載の方法。
【請求項１３】
前記処理する工程が、水を蒸発させ、前記三次元構造を崩壊させ、硝酸アンモニウムを熱分解するのに十分な時間十分な温度で、前記ゲルを加熱することを含み、前記固体非晶質リン酸アルミニウムが、アルカリ金属を含まず、かつ該反応の副生成物も含まない、請求項１記載の方法。
【請求項１４】
前記混合工程の間に、前記結合ポリマーが、ポリウレタン、ポリエステル、溶剤型エポキシ、無溶剤型エポキシ、水性エポキシ、エポキシコポリマー、アクリル、アクリルコポリマー、シリコーン、シリコーンコポリマー、ポリシロキサン、ポリシロキサンコポリマー、アルキド、及びこれらの組み合わせからなる群から選択される、請求項１記載の方法。
【請求項１５】
前記コーティング組成物が、亜鉛、カルシウム、ストロンチウム、クロメート、ボレート、バリウム、マグネシウム、モリブデン、及びこれらの組み合わせからなる群から選択される成分を含む物質をさらに含む、請求項１記載の方法。
【請求項１６】
水の存在下で硝酸アルミニウムをリン酸と合わせて、混合物を形成する工程;
水酸化アンモニウムを該混合物に加えて、液体中のコロイド状非晶質リン酸アルミニウム粒子の分散液を含むゾルを形成する工程;
前記ゾルにさらなる水酸化アンモニウムを加えて、該コロイド状粒子を凝集させ、該液体を閉じ込める、連結している非晶質リン酸アルミニウム粒子の三次元構造を有するゲルを形成する工程;及び
該ゲルを処理して該三次元構造を崩壊させ、該閉じ込められた液体を除去して、水分に曝露される場合にホスフェートアニオンを放出してアノード不動態化により腐食を防止する固体非晶質リン酸アルミニウム粒子を生成する工程
を含むゾルゲルプロセスにより、非晶質リン酸アルミニウム腐食防止顔料を製造する方法。
【請求項１７】
前記製造プロセスの間に、リン酸アンモニウムが生成される、請求項１６記載の方法。
【請求項１８】
前記非晶質リン酸アルミニウムが、アルカリ金属を含まない、請求項１６記載の方法。
【請求項１９】
前記非晶質リン酸アルミニウム粒子が、実質的に球形であり、かつ、約125m2/g〜150m2/gの平均表面積を有する、請求項１６記載の方法。
【請求項２０】
前記非晶質リン酸アルミニウム粒子が、10〜100ナノメートルの均一なサイズ分布を有する、請求項１６記載の方法。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
単量体成分を乳化重合させてなるトップコート用樹脂エマルションであって、当該樹脂エマルションに含まれるエマルション粒子を構成する樹脂の原料として用いられる全単量体成分においてアルキル（メタ）アクリレート、ピペリジン基含有単量体および酸基含有単量体を含有し、該酸基含有単量体の含有率が０．３質量％以下であり、前記エマルション粒子が複数層で構成され、前記複数層における最外層を構成する樹脂のガラス転移温度と前記複数層における内層を構成する樹脂のガラス転移温度との差の絶対値が３５〜７０℃であることを特徴とするトップコート用樹脂エマルション。
【請求項２】
請求項１に記載のトップコート用樹脂エマルションを含有することを特徴とする上塗り塗料。
【請求項３】
単量体成分を乳化重合させて複数層で構成されたエマルション粒子を含有するトップコート用樹脂エマルションを製造する方法であって、前記複数層における外層および内層を構成する樹脂の原料として用いられる各単量体成分にアルキル（メタ）アクリレートおよび窒素原子含有単量体を含有させ、前記エマルション粒子を構成する樹脂の原料として用いられる全単量体成分における酸基含有単量体の含有率を０．３質量％以下に調整し、前記各単量体成分を用いて前記複数層における最外層を構成する樹脂のガラス転移温度と前記内層を構成する樹脂のガラス転移温度との差の絶対値を３５〜７０℃に調整することを特徴とするトップコート用樹脂エマルションの製造方法。
【手続補正２】
【補正対象書類名】明細書
【補正対象項目名】０００７
【補正方法】変更
【補正の内容】
【０００７】
本発明は、
（１）単量体成分を乳化重合させてなるトップコート用樹脂エマルションであって、当該樹脂エマルションに含まれるエマルション粒子を構成する樹脂の原料として用いられる全単量体成分においてアルキル（メタ）アクリレート、ピペリジン基含有単量体および酸基含有単量体を含有し、該酸基含有単量体の含有率が０．３質量％以下であり、前記エマルション粒子が複数層で構成され、前記複数層における最外層を構成する樹脂のガラス転移温度と前記複数層における内層を構成する樹脂のガラス転移温度との差の絶対値が３５〜７０℃であることを特徴とするトップコート用樹脂エマルション、
（２）前記（１）に記載のトップコート用樹脂エマルションを含有することを特徴とする上塗り塗料、および
（３）単量体成分を乳化重合させて複数層で構成されたエマルション粒子を含有するトップコート用樹脂エマルションを製造する方法であって、前記複数層における外層および内層を構成する樹脂の原料として用いられる各単量体成分にアルキル（メタ）アクリレートおよび窒素原子含有単量体を含有させ、前記エマルション粒子を構成する樹脂の原料として用いられる全単量体成分における酸基含有単量体の含有率を０．３質量％以下に調整し、前記各単量体成分を用いて前記複数層における最外層を構成する樹脂のガラス転移温度と前記内層を構成する樹脂のガラス転移温度との差の絶対値を３５〜７０℃に調整することを特徴とするトップコート用樹脂エマルションの製造方法
に関する。
【手続補正３】
【補正対象書類名】明細書
【補正対象項目名】０１２０
【補正方法】変更
【補正の内容】
【０１２０】
次に本発明を実施例に基づいてさらに詳細に説明するが、本発明は、かかる実施例のみに限定されるものではない。なお、以下の実施例において、特に断りがない限り、「部」は「質量部」を意味し、「％」は「質量％」を意味する。また、以下の実施例において、実施例１〜３は、いずれも参考例として取り扱われるものである。
【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
オキシトシンレセプター活性およびバソプレッシンＶ１ａレセプター活性の少なくとも一方と関連する疾患の、治療および予防の少なくとも一方において、それを必要とする対象に使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項２】
前記疾患は、早期分娩、未熟児出産、月経困難症、早漏、性的不全、子宮内膜症、胚着床不全、不妊、良性前立腺過形成、神経精神障害、自閉症、社会的行動障害、心理社会的ストレスおよび心血管障害を含む群から選択される、請求項１に記載の医薬組成物。
【請求項３】
前記疾患が早期分娩である、請求項２に記載の医薬組成物。
【請求項４】
前記疾患が胚着床不全である、請求項２に記載の医薬組成物。
【請求項５】
生殖補助医療に使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項６】
体外受精−胚移植（ＩＶＦ−ＥＴ）法による不妊治療において使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項７】
胚移植処置を受けている対象において、胚着床不全の可能性を低くするのに使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項８】
胚移植中に発生する収縮を低減するのに使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項９】
オキシトシン誘発性の血管収縮、バソプレッシン誘発性の血管収縮、オキシトシン誘発性の筋収縮、またはバソプレッシン誘発性の筋収縮と関連する病気の、治療および予防の少なくとも一方において使用するための医薬組成物であって、
前記医薬組成物は、活性成分として式（３Ｚ，５Ｓ）−５−（ヒドロキシメチル）−１−［（２′−メチル−１，１′−ビフェニル−４−イル）カルボニル］ピロリジン−３−オンＯ−メチルオキシムで表される化合物、および医薬的に許容されるキャリア、希釈剤または賦形剤を含有し、
前記化合物は、前記医薬組成物内に、少なくとも８５％から９９．９％の範囲にある純度で存在する、医薬組成物。
【請求項１０】
経口、経膣、または静脈内投与のために製剤される、請求項１から９のいずれか一項に記載の医薬組成物。
【手続補正２】
【補正対象書類名】明細書
【補正対象項目名】発明の名称
【補正方法】変更
【補正の内容】
【発明の名称】オキシトシン／バソプレッシンＶ１ａレセプターのアンタゴニストとしてのピロリジン誘導体を含有する医薬組成物
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
ストレプトリシンＯ、ペルフリンゴリシンＯ、またはリステリオリシンＯを含む、細菌ミニ細胞。
【請求項２】
さらにインベイシン（Ｉｎｖａｓｉｎ）を含む、請求項１に記載の細菌ミニ細胞。
【請求項３】
前記インベイシン（Ｉｎｖａｓｉｎ）が、エルシニア・シュードツベルクロシス（Ｙｅｒｓｉｎｉａ  ｐｓｅｕｄｏｔｕｂｅｒｃｕｌｏｓｉｓ）由来である、請求項２に記載の細菌ミニ細胞。
【請求項４】
さらにタンパク毒素を含む、請求項１〜３のいずれか１項に記載の細菌ミニ細胞。
【請求項５】
前記タンパク毒素が、ゲロニン、ジフテリア毒素Ａ断片、ジフテリア毒素Ａ／Ｂ断片、破傷風毒素、大腸菌熱不安定性毒素、コレラ毒素、ウエルシュ菌のイオタ毒素、シュードモナス外毒素Ａ、志賀毒素、炭疽菌毒素、ＭＴＸ（バチルス・スフェリカス（Ｂ．ｓｐｈａｅｒｉｃｕｓ）の殺虫毒素）、ストレプトリシン、オオムギ毒素、メリチン、炭疽菌毒素ＬＦおよびＥＦ、アデニル酸シクラーゼ毒素、ボツリノリシンＢ、ボツリノリシンＥ３、ボツリノリシンＣ、ボツリヌス毒素Ａ、コレラ毒素、クロストリジウム毒素Ａ、Ｂおよびα、リシン、志賀Ａ毒素、志賀様Ａ毒素、コレラＡ毒素、百日咳ＳＩ毒素、ストレプトリシンＯ  ｃ、ストレプトリシンＯ  ｅ、スフェリコリシン（ｓｐｈａｅｒｉｃｏｌｙｓｉｎ）、アントロリシン（ａｎｔｈｒｏｌｙｓｉｎ）Ｏ、セレオリシン（ｃｅｒｅｏｌｙｓｉｎ）、チューリンゲンシリシン（ｔｈｕｒｉｎｇｉｅｎｓｉｌｙｓｉｎ）Ｏ、ワイヘンステファネンシリシン（ｗｅｉｈｅｎｓｔｅｐｈａｎｅｎｓｉｌｙｓｉｎ）、アルベオリシン（ａｌｖｅｏｌｙｓｉｎ）、ブレビリシン（ｂｒｅｖｉｌｙｓｉｎ）、ブチリクリシン（ｂｕｔｙｒｉｃｕｌｙｓｉｎ）、テタノリジンＯ、ノビリシン（ｎｏｖｙｉｌｙｓｉｎ）、レクチノリシン（ｌｅｃｔｉｎｏｌｙｓｉｎ）、ニューモリシン、ミチリシン（ｍｉｔｉｌｙｓｉｎ）、シュードニューモリシン、スイリシン（ｓｕｉｌｙｓｉｎ）、インターメジリシン（ｉｎｔｅｒｍｅｄｉｌｙｓｉｎ）、イバノリシン（ｉｖａｎｏｌｙｓｉｎ）、ゼーリゲリオリシン（ｓｅｅｌｉｇｅｒｉｏｌｙｓｉｎ）Ｏ、バジノリシン（ｖａｇｉｎｏｌｙｓｉｎ）、ピオリシン（ｐｙｏｌｙｓｉｎ）、ならびにそれらの任意の組合せからなる群より選択される、請求項４に記載の細菌ミニ細胞。
【請求項６】
前記細菌ミニ細胞が、サルモネラ属の種、リステリア属の種、マイコバクテリウム属の種、シゲラ属の種、エルシニア属の種または大腸菌のミニ細胞産生株から産生されたものである、請求項１〜５のいずれか１項に記載の細菌ミニ細胞。
【請求項７】
さらに１つ以上の生理活性分子を含む、請求項１〜６のいずれか１項に記載の細菌ミニ細胞。
【請求項８】
前記１つ以上の生理活性分子が、小分子、核酸、ポリペプチド、放射性同位体、脂質、リポ多糖、またはそれらの任意の組合せを含む、請求項７に記載の細菌ミニ細胞。
【請求項９】
前記１つ以上の生理活性分子のうちの少なくとも１つが、小分子治療薬、治療用核酸または治療用ポリペプチドである、請求項７に記載の細菌ミニ細胞。
【請求項１０】
前記小分子治療薬が、ＤＮＡ損傷剤、ＤＮＡ合成阻害剤、微小管およびチューブリン結合剤、抗代謝剤、酸化損傷誘導剤、抗血管新生剤、内分泌治療剤、抗エストロゲン剤、免疫調節因子、ヒストン脱アセチル化酵素阻害剤、シグナル伝達系の阻害剤、ヒートショックタンパク質の阻害剤、レチノイド、成長因子受容体の阻害剤、抗有糸分裂化合物、抗炎症剤、細胞周期調節因子、転写因子阻害剤、アポトーシス誘導剤、およびそれらの任意の組合せからなる群より選択される、請求項９に記載の細菌ミニ細胞。
【請求項１１】
請求項１〜１０のいずれか１項に記載の細菌ミニ細胞および薬学的に許容可能な担体を含む組成物。
【請求項１２】
請求項１〜１０のいずれか１項に記載の細菌ミニ細胞を真核細胞に接触させることを含む、細菌細胞の真核細胞への標的化方法。
【請求項１３】
さらに、前記１つ以上の生理活性分子を前記細菌ミニ細胞から前記真核細胞に輸送することを含む、請求項１２に記載の方法。
【請求項１４】
前記真核細胞が癌細胞である、請求項１２または１３に記載の方法。
【請求項１５】
前記癌が、固形腫瘍、転移性腫瘍または液性腫瘍である、請求項１４に記載の方法。
【請求項１６】
前記癌が、乳腺、肺、膵臓、前立腺、精巣、卵巣、胃部、腸部、口腔、舌、咽頭、肝臓、肛門、直腸、結腸、食道、膀胱、胆嚢、皮膚、子宮、膣、陰茎または腎臓の癌である、請求項１４に記載の方法。
【請求項１７】
前記真核細胞が、α３β１インテグリン、α４β１インテグリン、α５β１インテグリン、αｖβ３インテグリン、αｖβ１インテグリン、β１インテグリンまたはこれらの組み合わせを含む、請求項１２〜１６のいずれか１項に記載の方法。
【請求項１８】
請求項１〜１０のいずれか１項に記載の細菌ミニ細胞を含む、癌の治療剤。
【請求項１９】
前記癌が、乳腺、肺、膵臓、前立腺、精巣、卵巣、胃部、腸部、口腔、舌、咽頭、肝臓、肛門、直腸、結腸、食道、膀胱、胆嚢、皮膚、子宮、膣、陰茎または腎臓の癌である、請求項１８に記載の治療剤。
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
それを必要とするヒト対象の心不全を治療する又は遅延させるための医薬組成物であって、
a)0.3μg、0.6μg、1.2μg、又は2.4μg；
b)6EU、12EU、24EU、又は48EU；
c)0.04nmol、0.08nmol、0.17nmol、又は0.34nmol/kg/日
の量での前記ヒトへの投与のために調合されているニューレグリン1タンパク質を含む、前記医薬組成物。
【請求項２】
前記ニューレグリン1タンパク質が、ニューレグリン1β2アイソフォームである、請求項1記載の医薬組成物。
【請求項３】
前記ニューレグリン1タンパク質が、配列番号1に示すアミノ酸配列を含む、請求項1記載の医薬組成物。
【請求項４】
前記ニューレグリン1タンパク質が、前記ヒト対象に静脈内投与される、請求項1記載の医薬組成物。
【請求項５】
前記ニューレグリン1タンパク質が、前記ヒト対象に1日又は複数日の間投与される、請求項1記載の医薬組成物。
【請求項６】
前記ニューレグリン1タンパク質が、前記ヒト対象に少なくとも10日間投与される、請求項5記載の医薬組成物。
【請求項７】
前記ニューレグリン1タンパク質が、前記ヒト対象に1日当たり10分〜12時間投与される、請求項6記載の医薬組成物。
【請求項８】
前記ニューレグリン1タンパク質が、前記ヒト対象に1日当たり10時間で10日間投与される、請求項6記載の医薬組成物。
【請求項９】
前記ヒト対象が、心不全を有するか又は心不全を有することが疑われ、前記心不全が、1以上の虚血性因子、先天性因子、リウマチ性因子、特発性因子、ウイルス性因子又は毒性因子によって引き起こされる、請求項1記載の医薬組成物。
【請求項１０】
前記ニューレグリン1タンパク質が、1.2μgの量で投与される、請求項1記載の医薬組成物。
【請求項１１】
前記ニューレグリン1タンパク質が、前記ヒト対象に少なくとも3日間投与される、請求項10記載の医薬組成物。
【請求項１２】
前記ニューレグリン1タンパク質が、前記ヒト対象に少なくとも10日間投与される、請求項10記載の医薬組成物。
【請求項１３】
前記ニューレグリン1タンパク質が、前記ヒト対象に1日当たり10時間投与される、請求項11記載の医薬組成物。
【請求項１４】
前記ニューレグリン1タンパク質が、前記ヒト対象に1日当たり10時間投与される、請求項12記載の医薬組成物。
【請求項１５】
それを必要とするヒト対象の心不全を治療する又は遅延させるための医薬組成物であって、該医薬組成物は、ニューレグリン1タンパク質を含み、該ニューレグリン1タンパク質が、前記ヒト対象に、
a)0.3μg、0.6μg、1.2μg、又は2.4μg；
b)6EU、12EU、24EU、又は48EU；又は
c)0.04nmol、0.08nmol、0.17nmol、又は0.34nmol/kg/日
の量で少なくとも3日間投与される、前記医薬組成物。
【請求項１６】
前記ニューレグリン1タンパク質が、少なくとも5日間投与される、請求項15記載の医薬組成物。
【請求項１７】
前記ニューレグリン1タンパク質が、少なくとも10日間投与される、請求項15記載の医薬組成物。
【請求項１８】
前記ニューレグリン1タンパク質が、ニューレグリン1β2アイソフォームである、請求項15記載の医薬組成物。
【請求項１９】
前記ニューレグリン1タンパク質が、配列番号1に示すアミノ酸配列を含む、請求項18記載の医薬組成物。
【請求項２０】
前記ニューレグリン1タンパク質が、1.2μgの量で投与される、請求項15記載の医薬組成物。
【請求項２１】
前記ニューレグリン1タンパク質が、前記ヒト対象に静脈内投与される、請求項15記載の医薬組成物。
【請求項２２】
前記ニューレグリン1タンパク質が、前記ヒト対象に1日当たり10分〜12時間投与される、請求項15記載の医薬組成物。
【請求項２３】
前記ニューレグリン1タンパク質が、前記ヒト対象に1日当たり10時間で10日間投与される、請求項15記載の医薬組成物。
【請求項２４】
前記ヒト対象が、心不全を有するか又は心不全を有することが疑われ、前記心不全が、1以上の虚血性因子、先天性因子、リウマチ性因子、特発性因子、ウイルス性因子又は毒性因子によって引き起こされる、請求項15記載の医薬組成物。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
静脈内投与により対象の哺乳動物において分泌タンパク質を発現させるための医薬の製造におけるポリヌクレオチドの使用であって、前記ポリヌクレオチドは、
（ａ）  １−メチル−シュードウリジン、シチジン、アデノシンおよびグアノシンから選択されるヌクレオチドからなる分泌タンパク質をコードするオープンリーディングフレームと、
（ｂ）  コザック配列を含む５’−ＵＴＲと、
（ｃ）  少なくとも１つの５’キャップ構造と、
（ｄ）  ３’−ＵＴＲと、
（ｅ）  結合ヌクレオシドの３’尾部配列と
を含み、静脈内投与されると、前記ポリヌクレオチドは、ウラシル、シトシン、アデニンおよびグアニンを含むヌクレオチドからなるオープンリーディングフレームを有する対応するポリヌクレオチドと比較して、より長い半減期、または、より大きなタンパク質発現曲線下面積を有する、使用。
【請求項２】
前記分泌タンパク質はサイトカインである、請求項１に記載の使用。
【請求項３】
前記結合ヌクレオシドの３’尾部配列は、約１６０個のヌクレオチドのポリＡ尾部およびポリＡ〜Ｇ四重項のうちから選択される、請求項１または２に記載の使用。
【請求項４】
前記ポリヌクレオチドは精製されている、請求項１〜３のいずれか一項に記載の使用。
【請求項５】
前記少なくとも１つの５’キャップ構造は、キャップ０、キャップ１、ＡＲＣＡ、イノシン、Ｎ１−メチル−グアノシン、２’フルオロ−グアノシン、７−デアザ−グアノシン、８−オキソ−グアノシン、２−アミノ−グアノシン、ＬＮＡ−グアノシン、および２−アジド−グアノシンのうちから選択される、請求項１〜４のいずれか一項に記載の使用。
【請求項６】
静脈内投与により哺乳動物において分泌タンパク質を発現させるための医薬の製造における組成物の使用であって、前記組成物は複数の脂質ナノ粒子を含み、前記脂質ナノ粒子は、
（ａ）  １−メチル−シュードウリジン、シチジン、アデノシンおよびグアノシンから選択されるヌクレオチドからなる分泌タンパク質をコードするオープンリーディングフレームと、
（ｂ）  コザック配列を含む５’−ＵＴＲと、
（ｃ）  少なくとも１つの５’キャップ構造と、
（ｄ）  ３’−ＵＴＲと、
（ｅ）  結合ヌクレオシドの３’尾部配列と
を含むポリヌクレオチドを封入しており、前記ポリヌクレオチドは、ウラシル、シトシン、アデニンおよびグアニンを含むヌクレオチドからなるオープンリーディングフレームを有する対応するポリヌクレオチドと比較して、より長い半減期、または、より大きなタンパク質発現曲線下面積を有する、使用。
【請求項７】
前記複数の脂質ナノ粒子は、８０ｎｍ〜１６０ｎｍの平均粒径と、０．０２〜０．２の平均ＰＤＩと、１０〜２０の平均脂質：ポリヌクレオチド比（重量／重量）とを有する、請求項６に記載の使用。
【請求項８】
前記脂質ナノ粒子は、ＤＬｉｎ−ＤＭＡ、ＤＬｉｎ−Ｋ−ＤＭＡ、ＤＬｉｎ−ＫＣ２−ＤＭＡ、９８Ｎ１２−５、Ｃ１２−２００、ＤＬｉｎ−ＭＣ３−ＤＭＡ、ＤＯＤＭＡ、ＤＳＤＭＡ、ＤＬｅｎＤＭＡ、ｒｅＬＮＰ、ＰＬＧＡ、またはＰＥＧ化脂質を含む、請求項６または７に記載の使用。
【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
成分として、
（ａ）次式（Ｉ’）：
【化１】
2017141277.tif 000001
で表わされる（１Ｒ，２Ｒ）−３−（３−ジメチルアミノ−１−エチル−２−メチルプロピル）−フェノール又はその酸付加塩と、
（ｂ）ＮＭＤＡアンタゴニストとして（Ｒ，Ｓ）−ケタミンもしくは（Ｓ）−ケタミンまたはメマンチン、あるいはその酸付加塩
を含有する医薬配合物を含む医薬組成物であって、
上記成分（ａ）及び／又は上記成分（ｂ）の１日当たりの投与量は、それぞれの最大１日投与量未満とすることができる、上記医薬組成物。
【請求項２】
前記成分（ａ）及び／又は前記成分（ｂ）の１日当たりの投与量は、成分のそれぞれについて、７５±１５重量％、７５±１０重量％、７５±５重量％、５０±１５重量％、５０±１０重量％、５０±５重量％、２５±１５重量％、２５±１０重量％及び２５±５重量％とすることができる、請求項１記載の医薬組成物。
【請求項３】
前記式（Ｉ’）の化合物の酸付加塩がその塩酸塩付加塩である、請求項１または２に記載の医薬組成物。
【請求項４】
前記成分（ｂ）の酸付加塩がその塩酸塩付加塩である、請求項１または２に記載の医薬組成物。
【請求項５】
前記成分（ａ）及び（ｂ）は、前記配合物が患者への投与に対して相乗効果を発揮する重量比で存在する、請求項１〜４のいずれか１つに記載の医薬組成物。
【請求項６】
請求項１〜５のいずれか１つに記載の医薬配合物と、任意に１種以上の助剤とを含む医薬組成物。
【請求項７】
請求項１〜６のいずれか１つに記載の医薬組成物と、任意に１種以上の助剤とを含む製剤。
【請求項８】
経口投与、静脈内投与、動脈内投与、腹腔内投与、皮内投与、経皮投与、くも膜下投与、筋肉内投与、鼻腔内投与、経粘膜投与、皮下投与又は直腸投与に好適であることを特徴とする、請求項７に記載の製剤。
【請求項９】
前記成分（ａ）及び（ｂ）の一方又は両方が放出制御形態で存在する、請求項７又は８に記載の製剤。
【請求項１０】
前記医薬配合物の成分（ａ）及び成分（ｂ）が同時に又は連続的に投与され、ここで、化合物（ａ）を化合物（ｂ）の前又は後に投与されてよく、化合物（ａ）又は（ｂ）が同一の又は異なる投与経路により投与される、請求項７〜９のいずれか１つに記載の製剤。
【請求項１１】
痛みの治療用の、請求項１〜６のいずれか１つに記載の医薬組成物。
【請求項１２】
前記痛みが炎症性痛、神経障害性痛、急性痛、慢性痛、内臓痛、偏頭痛の痛み及び癌の痛みから選択される、請求項１１に記載の医薬組成物。
【請求項１３】
前記痛みが炎症性痛である、請求項１２に記載の医薬組成物。
【請求項１４】
医薬配合物又は該配合物の個々の成分を含む、請求項１〜６のいずれか１つに記載の医薬配合物又は請求項７〜１０のいずれか１つに記載の製剤を含むキット。
【手続補正書】
【提出日】平成28年11月24日(2016.11.24)
【手続補正１】
【補正対象書類名】特許請求の範囲
【補正対象項目名】全文
【補正方法】変更
【補正の内容】
【特許請求の範囲】
【請求項１】
遊技装置を収納する略矩形の本体枠と、
前記本体枠の前面を開閉する扉枠と、
を備える遊技機であって、
前記本体枠の一端に設けられ、前記扉枠を開閉可能に軸支する支持部と、
少なくとも遊技媒体を貯留可能な領域を有し、前記扉枠の略下端に位置する遊技媒体貯留部と、
を備え、
前記遊技媒体貯留部の底面は、
前記開放側の側端から所定位置に亘って略同一平面にて形成される第一底面部と、
前記所定位置から前記軸支側の側端に亘って形成される第二底面部と、を有し、
前記第二底面部は、前端と後端とが異なる高さとなるように形成され、いずれも前記第一底面部よりも高さ方向で上方に形成され、
前記遊技媒体貯留部を正面から見たときに前記第二底面部が視認困難とされる
ことを特徴とする遊技機。
【手続補正２】
【補正対象書類名】明細書
【補正対象項目名】０００４
【補正方法】変更
【補正の内容】
【０００４】
従来の遊技機では、遊技機の取扱い性を向上すると共に、遊技者からも注目されるように気を配るのが通常であった。
【手続補正３】
【補正対象書類名】明細書
【補正対象項目名】０００５
【補正方法】変更
【補正の内容】
【０００５】
しかしながら、従来の遊技機では、操作性や装飾に対する配慮が不足していた。そこで、本発明は、有益な遊技機の提供を目的とするものである。
【手続補正４】
【補正対象書類名】明細書
【補正対象項目名】０００６
【補正方法】変更
【補正の内容】
【０００６】
前記目的を達成するために、本発明は、遊技装置を収納する略矩形の本体枠と、前記本体枠の前面を開閉する扉枠と、を備える遊技機であって、前記本体枠の一端に設けられ、前記扉枠を開閉可能に軸支する支持部と、少なくとも遊技媒体を貯留可能な領域を有し、前記扉枠の略下端に位置する遊技媒体貯留部と、を備え、前記遊技媒体貯留部の底面は、前記開放側の側端から所定位置に亘って略同一平面にて形成される第一底面部と、前記所定位置から前記軸支側の側端に亘って形成される第二底面部と、を有し、前記第二底面部は、前端と後端とが異なる高さとなるように形成され、いずれも前記第一底面部よりも高さ方向で上方に形成され、前記遊技媒体貯留部を正面から見たときに前記第二底面部が視認困難とされることを特徴とする遊技機である。
【手続補正５】
【補正対象書類名】明細書
【補正対象項目名】０００７
【補正方法】変更
【補正の内容】
【０００７】
本発明によれば、有益な遊技機を提供することができる。
【手続補正書】
【提出日】平成29年1月13日(2017.1.13)
【手続補正１】
【補正対象書類名】明細書
【補正対象項目名】００６０
【補正方法】変更
【補正の内容】
【００６０】
次に、本発明の具体的実施例について説明するが、本発明はこれら実施例のものに特に限定されるものではない。
以下の実施例１〜６および比較例１〜６において、図３に示した積層構造の成形用包装材１０を作製した。これらは第１接着剤層５の組成のみが異なり、その他の材料は共通である。共通材料は以下のとおりである。
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
ポリオレフィン多孔質フィルムの少なくとも片面に、ポリオレフィン以外の重合体と媒体とを含む塗工液を塗布し、所定の乾燥温度で、かつ該乾燥温度と同じ温度環境下においてポリオレフィン多孔質フィルムに付与したときの伸び率が１％以下になるフィルムテンションを付与しながら、乾燥することを特徴とする積層多孔質フィルムの製造方法。
【請求項２】
乾燥温度が、３０〜８０℃である請求項１に記載の積層多孔質フィルムの製造方法。
【請求項３】
媒体の８０重量％以上が水である請求項１又は２に記載の積層多孔質フィルムの製造方法。
【請求項４】
ポリオレフィン多孔質フィルムの少なくとも片面に、ポリオレフィン以外の重合体を含む層が積層された積層多孔質フィルムであって、
前記ポリオレフィン多孔質フィルムは、温度６５℃環境下においてフィルム幅１ｍｍあたりに０．０５Ｎのフィルムテンションを機械方向に付与したときの伸び率が１％以下であり、
機械方向の辺の長さが３００ｍｍの矩形に切り出した前記積層多孔質フィルムを、温度２３℃湿度５０％環境下に１時間静置したときの、機械方向と直交する方向に平行な辺の、浮き上がりが最も大きい箇所における浮き上がり量が１５ｍｍ以下である積層多孔質フィルム。
【請求項５】
ポリオレフィン多孔質フィルムは、５５℃において伸びが１％となるフィルム幅１ｍｍあたりフィルムテンションが０．１７Ｎ以下である請求項４に記載の積層多孔質フィルム。
【請求項６】
ポリオレフィン多孔質フィルムの片面に、ポリオレフィン以外の重合体を含む層が積層された積層多孔質フィルムである請求項４又は５に記載の積層多孔質フィルム。
【請求項７】
ポリオレフィン以外の重合体を含む層が、さらに微粒子を含む請求項４〜６のいずれかに記載の積層多孔質フィルム。
【請求項８】
微粒子が無機微粒子である請求項７に記載の積層多孔質フィルム。
【請求項９】
請求項４〜８のいずれかに記載の積層多孔質フィルムからなる非水電解液二次電池用セパレータ。
【請求項１０】
請求項９に記載の非水電解液二次電池セパレータを含む非水電解液二次電池。
【手続補正書】
【提出日】平成29年7月24日(2017.7.24)
【手続補正１】
【補正対象書類名】特許請求の範囲
【補正対象項目名】全文
【補正方法】変更
【補正の内容】
【特許請求の範囲】
【請求項１】
利用者の動きを検出する検出部と、
利用者の活動量を測定する活動量測定部と、
前記検出部により検出される動きに基づいて利用者の行動パターンを識別する行動識別部と、
前記行動識別部が識別した利用者の行動パターンに含まれる睡眠及び学習の行動と基準行動パターンに含まれる睡眠及び学習の行動との一致度を算出する一致度算出部と、
前記活動量測定部により測定された利用者の前記活動量、及び、前記一致度算出部により算出された利用者の前記一致度に基づいて電子ゲームのパラメータを制御するゲーム制御部に、前記活動量測定部が測定した前記活動量と前記一致度算出部が算出した前記一致度とを転送する転送部と、を備える動作情報測定装置。
【請求項２】
請求項１記載の動作情報測定装置であって、
前記ゲーム制御部は、前記活動量に応じて決定した電子ゲームのパラメータを前記一致度に基づいて補正する動作情報測定装置。
【請求項３】
請求項２記載の動作情報測定装置であって、
前記ゲーム制御部は、前記一致度が高いほど、前記決定したパラメータを電子ゲームの進行に有利となる値に補正する動作情報測定装置。
【請求項４】
請求項１記載の動作情報測定装置であって、
音を検出する音検出部を更に備え、
前記活動量測定部は、前記音検出部により検出される音声情報を解析することで利用者の会話量を前記活動量として測定する動作情報測定装置。
【請求項５】
請求項１〜４のいずれか１項記載の動作情報測定装置であって、
前記ゲーム制御部を更に備える動作情報測定装置。
【請求項６】
コンピュータを、請求項１〜４のいずれか１項記載のゲーム制御部として機能させるためのゲーム制御プログラム。
【請求項７】
コンピュータを、請求項１又は４に記載の動作情報測定装置における活動量測定部、行動識別部、一致度算出部及び転送部として機能させるための動作情報測定プログラム。
【手続補正２】
【補正対象書類名】明細書
【補正対象項目名】００１１
【補正方法】変更
【補正の内容】
【００１１】
本発明の動作情報測定装置は、利用者の動きを検出する検出部と、利用者の活動量を測定する活動量測定部と、前記検出部により検出される動きに基づいて利用者の行動パターンを識別する行動識別部と、前記行動識別部が識別した利用者の行動パターンに含まれる睡眠及び学習の行動と基準行動パターンに含まれる睡眠及び学習の行動との一致度を算出する一致度算出部と、前記活動量測定部により測定された利用者の前記活動量、及び、前記一致度算出部により算出された利用者の前記一致度に基づいて電子ゲームのパラメータを制御するゲーム制御部に、前記活動量測定部が測定した前記活動量と前記一致度算出部が算出した前記一致度とを転送する転送部と、を備えるものである。
【手続補正３】
【補正対象書類名】明細書
【補正対象項目名】００１３
【補正方法】変更
【補正の内容】
【００１３】
本発明の動作情報測定プログラムは、コンピュータを、前記動作情報測定装置における活動量測定部、行動識別部、一致度算出部及び転送部として機能させるためのプログラムである。